(57)【要約】【課題】  移動体情報受信装置が、情報配信局への直接接続が可能な範囲内に存在しないときに、情報を受信することができない。【解決手段】  本発明の移動体情報送信装置は、情報を受信する情報受信手段と、移動体情報受信装置が一定の範囲内に存在することを検出すると、前記情報を送信する情報送信手段とを含む。【選択図】      図１
2009005179.tif 000002
【特許請求の範囲】
【請求項１】
情報を受信する情報受信手段と、
移動体情報受信装置が一定の範囲内に存在することを検出すると、前記情報を送信する情報送信手段と
を含むことを特徴とする移動体情報送信装置。
【請求項２】
前記移動体情報受信装置から移動体情報送信装置を検出するための探索信号を受信したか判断する探索信号受信判断手段を含み、
受信したと判断した場合は、前記情報送信手段が前記情報を送信すること
を特徴とする請求項１に記載の移動体情報送信装置。
【請求項３】
情報を受信する情報受信手段と、移動体情報受信装置が一定の範囲内に存在することを検出すると、前記情報を送信する情報送信手段とを含む移動体情報送信装置が送信する前記情報を、受信する情報受信手段
を備えたことを特徴とする移動体情報受信装置。
【請求項４】
一定時間ごとに前記移動体情報送信装置が前記移動体情報受信装置を検出するための探索信号を発信する探索信号送信手段と、
前記移動体情報送信装置から前記情報を受信する情報受信手段と
を含む無線通信手段を含むことを特徴とする請求項３に記載の移動体情報受信装置。
【請求項５】
前記情報が新規な情報である場合に前記情報を前記移動体情報受信装置に格納する情報管理手段を含むこと
を特徴とする請求項３又は４に記載の移動体情報受信装置。
【請求項６】
前記情報管理手段は、
受信した前記情報と前記移動体情報受信装置に格納されている情報の情報ＩＤを比較するＩＤ比較手段と、
一致するＩＤがない場合は、受信した情報を前記移動体情報受信装置に格納する情報格納手段と
を含むことを特徴とする請求項５に記載の移動体情報受信装置。
【請求項７】
前記情報管理手段は、
一致するＩＤがある場合は、受信した前記情報（以下、「新受信情報」と称す）と前記移動体情報受信装置に格納されている情報（以下、「既受信情報」と称す）の作成時刻を比較する作成時刻比較手段と、
前記新受信情報の方が新しい場合は、前記既受信情報を前記新受信情報で上書きする受信情報上書手段と、
前記新受信情報の方が新しくない場合は、前記新受信情報を破棄する受信情報破棄手段と
を含むこと特徴とする請求項６に記載の移動体情報受信装置。
【請求項８】
情報を配信する情報配信局と、
前記情報を受信する情報受信手段と、移動体情報受信装置が一定の範囲内に存在することを検出すると、前記情報を送信する情報送信手段とを含む移動体情報送信装置と、
前記移動体情報送信装置から前記情報を受信する移動体情報受信装置と
備えたことを特徴とする移動体情報送受信システム。
【請求項９】
情報を受信し、
移動体情報受信装置が一定の範囲内に存在することを検出すると、前記情報を送信すること
を特徴とする移動体情報送信装置の制御方法。
【請求項１０】
前記移動体情報受信装置から移動体情報送信装置を検出するための探索信号を受信したか判断し、
受信したと判断した場合は、前記情報を送信すること
を特徴とする請求項９に記載の移動体情報送信装置の制御方法。
【請求項１１】
情報を受信する情報受信手段と、移動体情報受信装置が一定の範囲内に存在することを検出すると、前記情報を自動的に送信する情報送信手段とを備えた移動体情報送信装置が送信する前記情報を、受信すること
を特徴とする移動体情報受信装置の制御方法。
【請求項１２】
一定時間ごとに前記移動体情報送信装置が前記移動体情報受信装置を検出するための探索信号を発信し、
前記移動体情報送信装置から前記情報を受信すること
を特徴とする請求項１１に記載の移動体情報受信装置の制御方法。
【請求項１３】
前記情報が新規な情報である場合に前記情報を前記移動体情報受信装置に格納すること、
を特徴とする請求項１１又は１２に記載の移動体情報受信装置の制御方法。
【請求項１４】
受信した前記情報と前記移動体情報受信装置に格納されている情報の情報ＩＤを比較し、
一致するＩＤがない場合は、受信した情報を前記移動体情報受信装置に格納すること
を特徴とする請求項１３に記載の移動体情報受信装置の制御方法。
【請求項１５】
一致するＩＤがある場合は、受信した前記情報（以下、「新受信情報」と称す）と前記移動体情報受信装置に格納されている情報（以下、「既受信情報」と称す）の作成時刻を比較し、
前記新受信情報の方が新しい場合は、前記既受信情報を前記新受信情報で上書きし、
前記新受信情報の方が新しくない場合は、前記新受信情報を破棄すること
を特徴とする請求項１４に記載の移動体情報受信装置の制御方法。
【請求項１６】
コンピュータを、
情報を受信する情報受信手段と、
移動体情報受信装置が一定の範囲内に存在することを検出すると、前記情報を送信する手段
として機能させるためのプログラム。
【請求項１７】
コンピュータを、
情報を受信する情報受信手段と、移動体情報受信装置が一定の範囲内に存在することを検出すると、前記情報を自動的に送信する情報送信手段とを備えた移動体情報送信装置が送信する前記情報を受信する受信手段
として機能させるためのプログラム。
【発明の詳細な説明】
【技術分野】
【０００１】
本発明は移動体情報送信装置、移動体情報受信装置、移動体情報送受信システム、移動体情報送信装置の制御方法、移動体情報受信装置の制御方法、及びプログラムに関する。特に、移動体情報送信装置を介して移動体情報受信装置が情報を受信する移動体情報送信装置、移動体情報受信装置、移動体情報送受信システム、移動体情報送信装置の制御方法、移動体情報受信装置の制御方法、及びプログラムに関する。
【背景技術】
【０００２】
ショッピングカートに商品情報等を提供するショッピングカートシステムの一例が特許文献１，２に記載されている。
【０００３】
特許文献１のショッピングカートシステムでは、サーバ装置に、広告情報、商品情報、売場情報などを記憶しておき、店内に複数設置されたローカル通信端末を通じて、カート上に載置されたカート端末装置に広告情報、商品情報、売場情報などのデータを個別もしくは一斉に送出する。
【０００４】
特許文献２のショッピングカートシステムでは、情報処理サーバが、商品データベースから例えば顧客の位置と進行方向に応じた商品情報（お勧め情報、バーゲン情報、試食情報など）を取り出し、顧客ＩＤを宛先とするショッピングカートに送信する。ショッピングカートの送受信部は、顧客ＩＤを照合して自カート宛ての商品情報を受信し、表示部に表示する。
【０００５】
【特許文献１】特開平１１−１５２０４１号公報
【特許文献２】特開２００２−１３２８８６号公報
【発明の開示】
【発明が解決しようとする課題】
【０００６】
上述した特許文献１，２に記載のショッピングカートシステムでは、ショッピングカートが、ローカル通信端末等の無線基地局やサーバ装置等の情報配信局への直接接続が可能な範囲内に存在しないときは、商品情報等の受信ができないという問題点があった。その理由は、ショッピングカートが、情報配信局への接続ができないためである。
【０００７】
本発明の目的は、移動体情報受信装置が、情報配信局への直接接続が可能な範囲内に存在しないときに、情報を受信できる移動体情報送信装置、移動体情報受信装置、移動体情報送受信システム、移動体情報送信装置の制御方法、移動体情報受信装置の制御方法、及びプログラムを提供することにある。
【課題を解決するための手段】
【０００８】
本発明の移動体情報送信装置は、情報を受信する情報受信手段と、移動体情報受信装置が一定の範囲内に存在することを検出すると、前記情報を送信する情報送信手段とを含むことを特徴とする。
【０００９】
本発明の移動体情報受信装置は、情報を受信する情報受信手段と、移動体情報受信装置が一定の範囲内に存在することを検出すると、前記情報を送信する情報送信手段とを含む移動体情報送信装置が送信する前記情報を、受信する情報受信手段を備えたことを特徴とする。
【００１０】
本発明の移動体情報送受信システムは、情報を配信する情報配信局と、前記情報を受信する情報受信手段と、移動体情報受信装置が一定の範囲内に存在することを検出すると、前記情報を送信する情報送信手段とを含む移動体情報送信装置と、前記移動体情報送信装置から前記情報を受信する移動体情報受信装置と備えたことを特徴とする。
【００１１】
本発明の移動体情報送信装置の制御方法は、情報を受信し、移動体情報受信装置が一定の範囲内に存在することを検出すると、前記情報を送信することを特徴とする。
【００１２】
本発明の移動体情報受信装置の制御方法は、情報を受信する情報受信手段と、移動体情報受信装置が一定の範囲内に存在することを検出すると、前記情報を自動的に送信する情報送信手段とを備えた移動体情報送信装置が送信する前記情報を、受信することを特徴とする。
【００１３】
本発明のプログラムは、コンピュータを、情報を受信する情報受信手段と、移動体情報受信装置が一定の範囲内に存在することを検出すると、前記情報を送信する手段として機能させることを特徴とする。
【００１４】
本発明のプログラムは、コンピュータを、情報を受信する情報受信手段と、移動体情報受信装置が一定の範囲内に存在することを検出すると、前記情報を自動的に送信する情報送信手段とを備えた移動体情報送信装置が送信する前記情報を受信する受信手段として機能させることを特徴とする。
【発明の効果】
【００１５】
移動体情報受信装置が、情報配信局への直接接続が可能な範囲内に存在しないときに、移動体情報受信装置が、情報配信局から情報を受信できる、という効果を有する。
【発明を実施するための最良の形態】
【００１６】
次に、本発明の概略を説明する。
【００１７】
図１は、本発明の概略を説明する図である。図１（ａ）は、本発明の移動体情報送受信システム６００の概略を説明する図である。移動体情報送受信システム６００は、移動体情報送信装置６０１と、移動体情報受信装置６０２と、情報配信局６０３とを備える。移動体情報送信装置６０１は、情報受信手段６０４と情報送信手段６０５とを備える。移動体情報受信装置６０２は、情報受信手段６０７を備える。
【００１８】
情報配信局６０３が情報６０６を配信する。情報６０６を、移動体情報送信装置６０１の情報受信手段６０４が受信する。移動体情報送信装置６０１は、移動体情報受信装置６０２が一定の範囲内に存在することを検出すると、情報送信手段６０５が情報６０６を送信する。移動体情報受信装置６０２の情報受信手段６０７は、この情報６０６を受信する。
【００１９】
これにより、移動体情報受信装置６０２が情報配信局６０３への直接接続が可能な範囲内に存在しない場合でも、移動体情報受信装置６０２は情報６０６を受信することができる。
【００２０】
図１（ｂ）は、本発明の移動体情報送信装置６０１の概略を説明する図である。移動体情報送信装置６０１は、情報受信手段６０４と、情報送信手段６０５とを備える。移動体情報送信装置６０１の情報受信手段６０４は、情報６０６を受信する。移動体情報送信装置６０１は、移動体情報受信装置６０２が一定の範囲内に存在することを検出すると、情報送信手段６０５が情報６０６を送信する。
【００２１】
これにより、情報送信手段６０５が送信する情報６０６を受信する移動体情報受信装置６０２は、情報受信手段６０４が受信する情報６０６を配信する情報配信局６０３への直接接続が可能な範囲内に存在しない場合でも、情報６０６を受信することができる。
【００２２】
図１（ｃ）は、本発明の移動体情報受信装置６０２の概略を説明する図である。移動体情報受信装置６０２は、情報受信手段６０７を備える。
【００２３】
情報受信手段６０７は、前述の移動体情報送信装置６０１が送信する情報６０６を受信する。
【００２４】
これにより、移動体受信装置６０２が情報配信局６０３への直接接続が可能な範囲内に存在しない場合でも、移動体情報受信装置６０２は情報６０６を受信することができる。
【００２５】
次に、本発明の概略をカート１００を例に説明する。図２は、本発明の移動体情報送受信システム６００をカート１００に適用した例を説明する図である。カート１００は、図２に示されたカート１０１〜１０６の総称である。
【００２６】
図２において、Ａ地点からＢ地点へ移動するカート１０１（移動体情報送信装置６０１の一例）が、経路上の広告配信局２０１，２０２（情報配信局６０３の一例）から広告情報７０６，７０７（情報６０６の一例）を収集する。図２は、広告情報７０６を「α」、広告情報７０７を「β」と表示している。カート１０１に設けられたディスプレイ１４０が広告７０６，７０７を表示する。ここで、カート１０２が、Ｂ地点からＡ地点へ向かっているとする。カート１０１（移動体情報送信装置６０１の一例）は、カート１０２（移動体情報受信装置６０２の一例）が一定の範囲内に存在することを検出すると、広告情報７０６，７０７をカート１０２に送信する。同様に、カート１０１、１０２以外のカート１０３〜１０６は、他のカート１０１〜１０６から広告情報７０６，７０７を受信する。
【００２７】
これにより、この例は、近接するカート１００の間で各カート１０１〜１０６が持つ広告情報７０６，７０７をコピーし合うことで、カート１００が広告配信局２０１，２０２が存在しない地域でも広告情報７０６，７０７を広めることができる。また、この例は、Ｂ地点からＡ地点へ向かうカート１０２にこれから向かう先（Ａ地点）の広告情報７０６，７０７を提供することができる。また、この例は、カート１０１の移動によって発電できる発電手段１６０を搭載することで、電源に関する管理を不要にすることができる。
【００２８】
次に、本発明の実施例について図面を参照して詳細に説明する。まず、本発明の実施例の構成について図面を参照して詳細に説明する。
【００２９】
図３は、本発明の実施例におけるカート広告送受信システム００１における広告配信局２００とカート１００の構成を示した図である。
【００３０】
広告配信局２００は、例えば広告情報７０６を配信する広告配信局である。広告配信局２００は、一般的に情報配信局と呼ぶことができる。広告配信局２００は、Central Processing Unit（ＣＰＵ）がメモリに記憶されたプログラムを実行することによりその機能を実現する。また、実行されるプログラムが、広告配信局２００が備えるハードウェア（例、外部メモリスロット２５０）等と協働することによっても、広告配信局２００はその機能を実現する。広告配信局２００は、無線通信手段２１０と、広告管理手段２２０と、広告用メモリ２３０と、広告情報入力手段２６０とを備える。広告情報入力手段２６０は、外部メモリ制御手段２４０と、外部メモリスロット２５０とを備える。
【００３１】
無線通信手段２１０は、無線により他の広告配信局２００やカート１００と通信を行う。無線通信手段２１０は、探索信号受信判断手段２１２と広告送信手段２１３とを含む。
【００３２】
探索信号受信判断手段２１２は、カート１００から広告配信局２００を検出するための探索信号を受信したか判断する。
【００３３】
広告送信手段２１３は、探索信号受信判断手段２１２が探索信号を受信したと判断し、カート１００が一定の範囲内に存在することが検出されたときに、広告管理手段２２０の指示により広告情報７０６をカート１００に送信する。広告送信手段２１３は、一般的には情報送信手段と呼ぶことができる。
【００３４】
広告管理手段２２０は、広告情報７０６の追加や削除などを管理する。
【００３５】
広告用メモリ２３０は、広告情報テーブル５００を備え、広告情報７０６を格納する。広告用メモリ２３０は、一般的に情報メモリと呼ぶことができる。
【００３６】
広告情報入力手段２６０は、広告情報７０６を広告配信局２００外部から入力する。広告情報入力手段２６０は、一般的に情報入力手段と呼ぶことができる。広告情報入力手段２６０への広告入力手段としては、例えば、メモリカードなどの外部メモリ４００の装着や、無線あるいは有線Local Area Network（ＬＡＮ）への接続などがある。
【００３７】
外部メモリ制御手段２４０は、情報入力手段として外部メモリ４００（例、Secure Digital memory card（ＳＤカード）やUniversal Serial Bus（ＵＳＢ）メモリ）が用いられる場合に、外部メモリ４００を読み書きする。外部メモリスロット２５０は、外部メモリ４００を挿入するスロットである。
【００３８】
また、広告配信局２００には含まれないが、例えば、広告配信局２００が配信する広告情報７０６は、パーソナルコンピュータ（パソコン）３００で作成される。そして、広告情報７０６を広告配信局２００へコピーするために外部メモリ４００が使用される。
【００３９】
カート１００は、広告情報７０６を送受信し、表示する機能を備えたカートである。カート１００は、Central Processing Unit（ＣＰＵ）がメモリに記憶されたプログラムを実行することによりその機能を実現する。また、実行されるプログラムが、カート１００が備えるハードウェア（例、ディスプレイ１４０）等と協働することによっても、カート１００はその機能を実現する。カート１００は、無線通信手段１１０と、広告管理手段１２０と、広告用メモリ１３０と、ディスプレイ１４０と、表示制御手段１５０と、発電手段１６０と、充電池１７０と、車輪１６１とを含む。
【００４０】
カート１００は、一般的には、移動体情報送信装置又は、移動体情報受信装置と呼ぶことができる。カート１００は、ショッピングセンタや空港などで荷物を運び、店舗の広告の配信を受ける用途に適用することが考えられる。また、カート１００は、テーマパークのような施設の子供用カート１００などで、別エリアのアトラクション情報を表示するといった用途に適用されることが考えられる。
【００４１】
無線通信手段１１０は、無線により広告配信局２００や他のカート１００との通信を行う。無線通信手段１１０は、探索信号送信手段１１１と、探索信号受信判断手段１１２と、広告受信手段１１３と広告送信手段１１４とを含む。
【００４２】
探索信号送信手段１１１は、一定時間ごとに広告配信局２００又は、カート１００（例、図２において広告情報７０６を送信するカート１０１）を検出するための探索信号を送信する。
【００４３】
探索信号受信判断手段１１２は、他のカート１００（例、図２におけるカート１０２）から自カート１００（例、図２におけるカート１０１）を検出するための探索信号を受信したか判断する。これにより、他のカート１０２が一定の範囲内に存在することを検出する。
【００４４】
広告受信手段１１３は、広告情報７０６を受信する。広告受信手段１１３は、一般的には情報受信手段と呼ぶことができる。
【００４５】
広告送信手段１１４は、探索信号受信判断手段１１２が他のカート１０２が一定の範囲内に存在することを検出すると、広告情報７０６を他のカート１０２に送信する。広告送信手段１１４は、一般的には情報送信手段と呼ぶことができる。
【００４６】
広告管理手段１２０は、広告情報７０６の追加や削除などを管理する。広告管理手段１２０は、一般的には情報管理手段と呼ぶことができる。
【００４７】
広告管理手段１２０は、ＩＤ比較手段１２２と、広告情報格納手段１２３と、作成時刻比較手段１２４と、受信広告上書手段１２５と、受信広告破棄手段１２６とを含む。広告管理手段１２０は、広告情報７０６が新規な広告情報７０６である場合に広告情報７０６を広告用メモリ１３０に格納する。
【００４８】
ＩＤ比較手段１２２は、受信した広告情報７０６と広告用メモリ１３０に格納されている広告情報７０６の広告ＩＤ５１０（広告ＩＤ５１０については後述する）を比較する。
【００４９】
広告情報格納手段１２３は、一致する広告ＩＤ５１０がない場合は、受信した広告情報７０６を広告用メモリ１３０に格納する。広告情報格納手段１２３は、一般的には情報格納手段と呼ぶことができる。
【００５０】
作成時刻比較手段１２４は、一致する広告ＩＤ５１０がある場合は、受信した広告情報７０６と広告用メモリ１３０に格納されている広告情報７０６の作成時刻５２０を比較する。
【００５１】
受信広告上書手段１２５は、新たに受信した広告情報７０６の方が新しい場合は、既に受信し広告用メモリ１３０に格納されている広告情報７０６を新たな広告情報７０６で上書きする。受信広告上書手段１２５は、一般的には、受信情報上書手段と呼ぶことができる。
【００５２】
受信広告破棄手段１２６は、新たに受信した広告情報７０６の方が新しくない場合は、新たに受信した広告情報７０６を破棄する。受信広告破棄手段１２６は、一般的には、受信情報破棄手段と呼ぶことができる。
【００５３】
広告用メモリ１３０は、広告情報テーブル５００を備え、広告情報７０６を格納する。広告用メモリ１３０は、一般的には情報メモリと呼ぶことができる。
【００５４】
ディスプレイ１４０は、広告情報７０６を表示する。
【００５５】
表示制御手段１５０は、ディスプレイ１４０の表示を制御する。
【００５６】
また、カート１００は、カート１００の車輪１６１の回転によって発電する発電手段１６０と、発電した電気を貯めておく充電池１７０とを備える。
【００５７】
図４は、本発明の実施例における広告情報テーブル５００の一例を示した図である。広告情報テーブル５００は、広告用メモリ１３０、２３０に備えられ、個々の広告情報７０６ごとに広告ＩＤ５１０、作成時刻５２０、広告データ５３０を格納している。広告ＩＤ５１０、広告データ５３０は、一般的には情報ＩＤ，情報データと呼ぶことができる。
【００５８】
次に、本発明の実施例の動作について図面を参照して説明する。
【００５９】
図５は、本発明の実施例におけるカート１００と広告配信局２００の動作を示したシーケンス図である。以下、図３、図４、図５を参照して、広告情報７０６が広告配信局２００からカート１０１へ、カート１０１からカート１０２へ伝播していく手順を示す。
【００６０】
まず、広告配信者は、パソコン３００で広告情報７０６を作成し、外部メモリ４００に格納する。次に、広告配信者は、外部メモリ４００を広告配信局２００の外部メモリスロット２５０に挿入する。外部メモリ制御手段２４０は、外部メモリ４００から広告情報７０６を読み込み、広告管理手段２２０に渡す。広告管理手段２２０は、広告情報７０６を広告用メモリ２３０に格納する。例えば、広告管理手段２２０は、広告情報７０６として、広告情報７０６を一意に識別する広告ＩＤ５１０、作成時刻５２０、広告データ５３０を広告用メモリ２３０の広告情報テーブル５００に格納する。
【００６１】
次に、広告配信局２００からカート１００へ広告情報７０６を配信する手順を示す。
【００６２】
まず、カート１００は一定時間毎に広告配信局２００を検出するための探索信号を無線通信手段１１０の探索信号送信手段１１１から発信する（Ｓ６１）。広告配信局２００の無線通信手段２１０の探索信号受信判断手段２１２は、探索信号を受信したか判断する（Ｓ７１）。探索信号を受信した場合は（Ｓ７１／Ｙｅｓ）、探索信号受診判断手段２１２は、広告管理手段２２０に探索信号受信を通知する。広告管理手段２２０は、広告用メモリ２３０に格納されている広告情報７０６を配信するように無線通信手段２１０に要求し、広告情報７０６が広告送信手段２１３からカート１００に配信される（Ｓ７２）。無線通信手段１１０の広告受信手段１１３は、広告情報７０６を受信したか判断する（Ｓ６２）。広告情報７０６を受信した場合は（Ｓ６２／Ｙｅｓ）、広告受信手段１１３は、広告情報７０６を広告管理手段１２０へ渡す。
【００６３】
広告管理手段１２０は、広告情報７０６が新規な広告情報７０６である場合に広告情報７０６を広告用メモリ１３０に格納する。即ち、広告管理手段１２０のＩＤ比較手段１２２は、受信した広告情報７０６と広告用メモリ１３０に格納されている広告情報７０６の広告ＩＤ５１０を比較する（Ｓ６３）。もし一致する広告ＩＤ５１０がない場合（Ｓ６３／Ｎｏ）は、広告情報格納手段１２３が、受信した広告情報７０６を広告用メモリ１３０に追加する（Ｓ６５）。また、一致する広告ＩＤ５１０があった場合（Ｓ６３／Ｙｅｓ）、作成時刻比較手段１２４が、受信した広告情報７０６が広告用メモリ１３０に格納されている広告情報７０６よりも新しいかどうかを調べるために、作成時刻５２０を比較する（Ｓ６４）。受信した広告情報７０６の作成時刻５２０が広告用メモリ１３０に格納されている広告情報７０６の作成時刻５２０よりも新しい場合は（Ｓ６４／Ｙｅｓ）、次のように動作する。即ち、受信広告上書手段１２５が、広告用メモリ１３０の広告情報７０６を受信した広告情報７０６で上書き登録する（Ｓ６５）。受信した広告情報７０６が、広告用メモリ１３０に格納されている広告情報７０６より新しくない場合は（Ｓ６４／Ｎｏ）、受信広告破棄手段１２６が、受信した広告情報７０６を破棄する（Ｓ６６）。本方式は、カート１０１と別のカート１０２との間で広告情報７０６をコピーする場合も、同様である。
【００６４】
一方、カート１００の表示制御手段１５０は、広告管理手段１２０が管理している広告情報７０６をディスプレイ１４０に表示する。複数の広告情報７０６が格納されている場合は、一画面中に複数表示したり、時間毎に表示する広告情報７０６を切り替える。また、カート１００が移動中は、発電手段１６０により充電池１７０を充電する。以上で、本発明の実施例の動作の説明を終了する。
【００６５】
以下、本発明の実施例の変形例を説明する。
【００６６】
ディスプレイ１４０の変形例を示す。まず、カート１０１は、ディスプレイ１４０を、カート１０１を使用している人に対して広告情報７０６を見せるように設置可能である。その一方で、変形例は、カート１０１は、ディスプレイ１４０が設置されているカート１０１以外のカート１０２（例えば、対向してくるカート１０２）を使用している人に対して広告情報７０６を見せるように、ディスプレイ１４０を備えていてもよい。
【００６７】
カート１００の変形例を示す。変形例は、カート１００だけでなく、ショッピング籠や、自動車、トラック、バス、タクシーなどの車を移動体情報送信装置６０１、移動体情報受信装置６０２として利用してもよい。自動車、トラック、バス、タクシーなどの車を利用する場合、変形例は、車に設置されたカーナビゲーションシステムなどが広告情報７０６を表示してもよい。
【００６８】
広告情報テーブル５００の変形例を示す。変形例としては、広告情報テーブル５００が、広告ＩＤ５１０、作成時刻５２０、広告データ５３０に加えて、有効期間５４０を記録しても良い。この場合、カート１００の広告管理手段１２０、および、広告配信局２００の広告管理手段２２０が、有効期間５４０を過ぎた広告情報７０６を広告用メモリ１３０、２３０から破棄する。
【００６９】
カート１００の広告用メモリ１３０の広告情報テーブル５００は、広告ＩＤ５１０、作成時刻５２０、広告データ５３０などに加えて、受信回数５５０を記録しても良い。この場合、カート１００の広告管理手段１２０は、各広告ＩＤ５１０について、その広告情報７０６を無線通信手段１１０が受信した回数を記録する。すなわち、図５のＳ６２において、広告ＩＤ５１０が一致すれば、広告管理手段１２０は、広告情報テーブル５００に記録されている受信回数５５０を１増加させる。広告ＩＤ５１０が一致しなければ、広告管理手段１２０は、受信回数５５０を１としてＳ６５において広告用メモリ１３０の広告情報テーブル５００に登録する。
【００７０】
広告管理手段１２０の変形例を示す。広告管理手段１２０は、表示する広告を広告用メモリ１３０の広告情報テーブル５００から選択する際、広告ＩＤ５１０順に選択してもよいし、ランダムに選択してもよい。また、広告管理手段１２０は、受信回数５５０に基づいて、例えば、受信回数５５０が多い広告情報７０６の選択頻度が高くなるように選択しても良い。受信回数５５０が多い広告情報７０６は、多くのカート１００が格納している広告情報７０６と考えられる。このことから、受信回数５５０が多い広告情報７０６は、多くのカート１００が通過した広告配信局２００から配信された広告情報７０６と考えられる。故に、受信回数５５０が多い広告情報７０６は、人気商品の広告情報７０６と考えられる。これにより、カート１００の利用者は、人気商品の広告情報７０６を見ることができる。また、広告管理手段１２０は、作成時刻５２０に基づいて、例えば、作成時刻５２０が新しい広告情報７０６の選択頻度が高くなるように選択しても良い。
【００７１】
広告管理手段１２０、２２０は、広告用メモリ１３０、２３０に格納されている広告情報７０６を配信するように無線通信手段１１０、２１０に要求する場合に、以下のようにしてもよい。即ち、広告管理手段１２０、２２０は、複数の広告情報７０６から特定の広告情報７０６を選択してから、当該広告情報７０６を配信するように無線通信手段１１０，２１０に要求してもよい。例えば、広告管理手段１２０、２２０は、広告情報７０６を、広告ＩＤ５１０順に選択してもよいし、ランダムに選択してもよい。また、広告管理手段１２０、２２０は、受信回数５５０が多い広告情報７０６、作成時刻５２０が新しい広告情報７０６を選択して送信してもよい。
【００７２】
広告配信局２００の変形例を示す。上記実施例では、ＵＳＢメモリなどの外部メモリ４００を利用して広告配信局２００に広告情報７０６を格納している。しかし、変形例は、広告配信局２００をネットワークに接続することで、広告配信サーバから各広告配信局２００に広告情報７０６を送信して、それを広告用メモリ２３０に格納してもよい。この場合のネットワークは有線でも無線でもかまわない。これにより、変形例では、配信する広告情報７０６を広告配信サーバで遠隔管理できるようになる。
【００７３】
発電手段１６０と関連したディスプレイ１４０の変形例を示す。変形例は、ディスプレイ１４０として、電子ペーパを使用してもよい。電子ペーパは、電源を切っても表示の状態を保つことが出来る表示装置である。カート１００が動いている間、つまり発電手段１６０が動いている間は、カート１００は、無線通信や広告情報７０６の表示切替を行う。止まっているときは、カート１００は、表示切替機能を停止することで、省電力化を実現できる。図６は、ディスプレイ１４０として電子ペーパを使用した場合のカート１００の構成を示した図である。カート１００は、図３の構成図と比較して、動作検知手段１８０、および電源制御手段１９０を追加して備える。動作検知手段１８０は、発電手段１６０の出力電流あるいは電圧、あるいは、車輪１６１の動作を検知することで、カート１００が動いているかどうかを検知し、電源制御手段１９０へ伝達する。電源制御手段１９０は、動作検知手段１８０からの情報を元に、カート１００が停止、あるいは、予め定められた一定時間以上停止していれば、電源の供給を停止させる。
【００７４】
広告情報７０６の変形例を示す。上記実施例では、情報として広告情報７０６を例に用いているが、広告以外の情報を使用してもよい。
【００７５】
本実施例に記載された発明は、例えば、以下の効果を備える。
【００７６】
本発明は、広告配信局から無線が到達しない地域の広告情報をカートが取得できる、という効果を有する。その理由は、広告情報を配信する広告配信局と、広告情報を受信する受信手段と、他のカートが一定の範囲内に存在することを検出すると、広告情報を送信する情報送信手段とを含むカートと、当該カートから広告情報を受信する他のカートとを備えるためである。即ち、移動するカートが媒介して広告が伝播していくからである。
【００７７】
本発明は、広告配信ネットワーク構築コストの低減ができる、という効果を有する。その理由は、移動するカートが媒介して広告が伝播していくため、本発明を使用しない場合より、広告配信ネットワークを構築する範囲や密度等を小さくできるためである。
【００７８】
本発明は、カートを利用するユーザにこれから向かう先の広告情報を見せることができる、という効果を有する。その理由は、カートが、これから向かう先から移動してきたカートから広告情報を受信することができるためである。
【００７９】
本発明は、カートの位置に基づいた広告情報の提供を行うにあたり、カートの位置情報管理が不要である、という効果を有する。その理由は、他のカートとのすれ違いによって、結果として位置に基づいた広告情報の提供を行っているためである。例えば、上述の例では、これから向かう先（位置）から移動してきたカートから広告情報の提供を受けることによって、カートの位置に基づいた広告情報の提供が行われるためである。特許文献１，２に記載のショッピングカートシステムでは、カートの位置情報を管理し、その位置に対応した情報をサーバから送信する方式を提案している。このようなカートの位置情報管理は、本発明の実施例では不要となる。
【００８０】
本発明は、カートの電源に関する管理を不要にできる、という効果を有する。その理由は、カートが、カートの移動によって発電できる発電機を搭載しているためである。カートに電気的な広告送受信機能や広告表示機能を搭載する場合、一般的に充電池が搭載されるが、電池が切れると機能が停止してしまい、また再充電には電源のある位置までカートを移動させたり、電池を交換するなどの人手による管理が必要であった。本発明は、この課題を解決した。
【産業上の利用可能性】
【００８１】
本発明は、移動体情報送信装置を介して移動体情報受信装置が情報を受信する移動体情報送信装置、移動体情報受信装置、移動体情報送受信システム、移動体情報送信装置の制御方法、移動体情報受信装置の制御方法、及びプログラムに利用可能である。
【図面の簡単な説明】
【００８２】
【図１】本発明の概略を説明する図である。
【図２】本発明の移動体情報送受信システム６００をカート１００に適用した例を説明する図である。
【図３】本発明の実施例におけるカート広告送受信システム００１における広告配信局２００とカート１００の構成を示した図である。
【図４】本発明の実施例における広告情報テーブル５００の一例を示した図である。
【図５】本発明の実施例におけるカート１００と広告配信局２００の動作を示したシーケンス図である。
【図６】ディスプレイ１４０として電子ペーパを使用した場合のカート１００の構成を示した図である。
【符号の説明】
【００８３】
００１    カート広告送受信システム
１００，１０１，１０２，１０３，１０４，１０５，１０６    カート
１１０    無線通信手段
１１１    探索信号送信手段
１１２    探索信号受信判断手段
１１３    広告受信手段
１１４    広告送信手段
１２０    広告管理手段
１２２    ＩＤ比較手段
１２３    広告情報格納手段
１２４    作成時刻比較手段
１２５    受信広告上書手段
１２６    受信広告破棄手段
１３０    広告用メモリ
１４０    ディスプレイ
１５０    表示制御手段
１６０    発電手段
１６１    車輪
１７０    充電池
１８０    動作検知手段
１９０    電源制御手段
２００，２０１，２０２    広告配信局
２１０    無線通信手段
２１２    探索信号受信判断手段
２１３    広告送信手段
２２０    広告管理手段
２３０    広告用メモリ
２４０    外部メモリ制御手段
２５０    外部メモリスロット
２６０    広告情報入力手段
３００    パソコン
４００    外部メモリ
５００    広告情報テーブル
５１０    広告ＩＤ
５２０    作成時刻
５３０    広告データ
５４０    有効期間
５５０    受信回数
６００    移動体情報送受信システム
６０１    移動体情報送信装置
６０２    移動体情報受信装置
６０３    情報配信局
６０４    情報受信手段
６０５    情報送信手段
６０６    情報
７０６，７０７    広告情報
【図１】
2009005179.tif 000003
【図２】
2009005179.tif 000004
【図３】
2009005179.tif 000005
【図４】
2009005179.tif 000006
【図５】
2009005179.tif 000007
【図６】
2009005179.tif 000008